(57)【要約】【課題】  微細化された寸法を有するマスクには、補助パターンが使用されている。しかし、その補助パターンの配置ルール作りに時間工数がかかるという問題がある。【解決手段】ラインパターンと隣接する他のラインパターンとの間隔を基にルールベース手法によりテーブルを作成し、テーブルに従って一定幅の補助パターンを配置する工程と、配置されたパターン及び補助パターンの寸法を最適化するモデルベース近接効果補正工程とを有する。ルールベース手法における補助パターンの幅を一定することでルールテーブルの記述が極めて簡便になり、マスク作成の効率を向上できる。また、パターン間隔による場合分けを細分化して、パターンおよび補助パターンの最適化に容易に対応できる。【選択図】  図６
2006309039.tif 000002
【特許請求の範囲】
【請求項１】
ラインパターンに隣接して配置される補助パターンを備えたマスクのマスクデータ作成方法において、前記ラインパターンと前記ラインパターンに隣接する他のラインパターンの間隔を基にルールベース手法により予め決められた位置に前記補助パターンを配置する工程と、前記補助パターンの寸法を最適化するモデルベース近接効果補正工程とを有することを特徴とするマスクデータ作成方法。
【請求項２】
前記モデルベース近接効果補正工程においては、第一の光強度しきい値を用いて前記補助パターンのエッジを移動させる第一のモデルベース近接効果補正工程と、第二の光強度しきい値を用いて前記パターンのエッジを移動させる第二のモデルベース近接効果補正工程とを有することを特徴とする請求項１に記載のマスクデータ作成方法。
【請求項３】
前記第一の光強度しきい値は、前記第二の光強度しきい値より高いことを特徴とする請求項２に記載のマスクデータ作成方法。
【請求項４】
前記第一の光強度しきい値は、前記第二の光強度しきい値より４％から４０％高いことを特徴とする請求項３に記載のマスクデータ作成方法。
【請求項５】
前記第一のモデルベース近接効果補正工程においては、さらに前記補助パターンに０ｎｍの幅に転写されるようにオフセットを与えることを特徴とする請求項２に記載のマスクデータ作成方法。
【請求項６】
前記ルールベース手法で配置される前記補助パターンの幅を一定としたことを特徴とする請求項１に記載のマスクデータ作成方法。
【請求項７】
前記ルールベース手法においては、前記ラインパターンと前記ラインパターンに隣接する他のラインパターンの間隔を基にテーブルを作成し、該テーブルに従って前記補助パターンを配置し、前記モデルベース近接効果補正工程において前記補助パターン及び前記パターンの幅を補正することを特徴とする請求項１に記載のマスクデータ作成方法。
【請求項８】
前記テーブルは、設置する補助パターンの本数毎に作成することを特徴とする請求項６に記載のマスクデータ作成方法。
【発明の詳細な説明】
【技術分野】
【０００１】
本発明は、半導体装置の製造に用いられるマスクのデータ作成方法に係り、特に補助パターンを有するマスクにおけるマスクデータ作成方法に関する。
【背景技術】
【０００２】
半導体装置の高集積化にともない、素子パターンは微細化が進んでいる。例えば、ダイナミック型ランダムアクセスメモリ（以下、ＤＲＡＭと称する。）においては、１ギガビットの容量の製品が実用化されている。これらの大容量のＤＲＡＭには、微細化された素子パターン、配線幅及び間隔（ラインアンドスペース）が使用されている。現在のＤＲＡＭのメモリセルは１つのトランジスタと１つのキャパシタで構成され、Ｘ方向及びＹ方向に集積度に応じた所定の数だけ並べられ、メモリセルアレー領域を形成する。メモリセル情報の読み書きは、スイッチングトランジスタのゲートとなるワード線とキャパシタの情報を読み書きするためのビット線とをメモリセルアレーの周辺に配置した回路を用いて駆動させることにより行う。ワード線及びビット線は、それぞれ直交しており、配線（ライン）と配線間を分離するスペースとの繰り返しパターンとなる。
【０００３】
ＤＲＡＭでは、限られたチップ面積上で、より多くのメモリ容量を実現するためにメモリセルアレー領域には最密状態でメモリセルが配置される。その結果、ワード線及びビット線はリソグラフィプロセス（露光装置及びレジスト等）で規定される限界解像度に近い幅の配線と配線間を分離するための間隔との繰り返し密集パターン（ラインアンドスペースパターン）で構成される。さらにメモリセルアレー領域にはその周辺回路としてセンスアンプ、デコーダ等の回路がメモリセルピッチと同じく配列されている。さらにその外周には制御回路や、入出力回路を備えている。ＤＲＡＭにおいては、特に集積度向上に対する要求が強く、できるだけ小さな解像度を得る努力が続けられている。
【０００４】
ここで、解像度とは実用的な焦点深度をもってパターンを形成できる最小の周期パターンの１／２ピッチを意味している。そして、焦点深度とは、露光基板上のレジストにパターンが形成され得る焦点範囲を意味する。焦点深度が小さいと、例えばレジストの膜厚ばらつきや半導体基板表面の凹凸等の影響により、レジストを膜厚方向に充分に露光することができず、パターン形成が阻害される問題が顕在化する。したがって、焦点深度は大きい方が望ましい。
【０００５】
一般に解像度（Ｒ）は露光源の波長（λ）に比例し、レンズの開口数（ＮＡ）に反比例し、Ｒ＝Ｋ１＊λ／ＮＡ（ここでＫ１はプロセスで決まる係数）となることが知られている。そのため、露光源の波長（λ）は短く、ＮＡは大きくなるように露光装置に改良が加えられている（短波長化、高ＮＡ化）。現在、露光源としてはＫｒＦレーザー（波長２４８ｎｍ）及びＡｒＦレーザー（波長１９６ｎｍ）が用いられ始めている。また、ＮＡは０．８以上が得られるようになっている。その他の工夫による効果も含めて、現状では１００ｎｍ以下の臨界寸法が実現されている。
【０００６】
一方、マスクから半導体基板上にマスクパターンを転写するリソグラフィにおいては、小さな解像度を得ることと同時に照射光の焦点深度を確保することが重要な課題となっている。焦点深度（ＤＯＦ）は、波長（λ）に比例し、開口数（ＮＡ）の２乗に反比例し、ＤＯＦ＝Ｋ２＊λ／ＮＡ２（Ｋ２はプロセスに依存した係数）で表される。そのため、解像度を微細にするため、短波長化および高ＮＡ化を行うと焦点深度はより小さくなってきており、焦点深度確保が重要な課題となっていた。
【０００７】
焦点深度を確保するための１つの方策として、輪帯照明などの斜入射照明法が用いられている。マスクを照明する光の内、垂直入射成分を排除し、斜め入射光のみでマスクを照射する方法である。４極照明や輪帯照明が実用化されている。従来の通常照明では、マスクパターンからの０次回折光と±一次回折光の３光束を投影レンズで集めた、３光束干渉による結像状態を用いていた。それに対し、斜入射照明では、±一次回折光の一方を捨てて（投影レンズに入らないように入射される）、０次光と±一次回折光の残りの一方との２光束干渉で像を形成している。
【０００８】
３光束干渉と２光束干渉の結像状態を最良の焦点レベルで比較すると、±一次回折光の一方を捨てているため、２光束干渉の方が光の強弱は低下する。しかし、半導体基板上の結像面での光束入射角度を考えると、２光束干渉の結像は３光束干渉の結像の１／２になっている。そのため、焦点がずれた時の像のぼけ方が小さくなり、広い焦点範囲で、レジストパターンの形成に充分な光強度分布を得ることができる。
【０００９】
また、別の方策として、ハーフトーン位相シフトマスクを用いると、さらに焦点深度を拡大できることが知られている。ハーフトーン位相シフトマスクとは、遮光領域であるマスク上パターンを半透明領域で形成し、２〜２０％程度の光を漏らし、且つ、漏れた光と隣接する透明領域の光との位相を１８０度反転させるマスクである。前述のラインアンドスペースからなる密集パターンでは、回折光が生じることを利用して、ハーフトーンマスクと斜入射照明を組み合わせて用いると、０次回折光と±一次回折光の一方とのバランスが改善されて光の強弱が向上する。
【００１０】
しかし、これらの手法は、前述のラインアンドスペースからなる密集パターンに適用して大きな効果を示すが、回折光が生じない孤立パターンには斜入射照明法の適用の効果は少なく、焦点深度の拡大は期待できない。ここでの孤立パターンとは、隣接するパターン間隔が充分に大きい場合とパターン間隔が比較的近接しているが密集パターンほど混み入っていない中間ピッチの場合とを含んでいる。
【００１１】
これらの孤立パターンの焦点深度を拡大するためには、密集パターンの場合とは逆に、ＮＡ値の低減（マスクを垂直成分に近い光のみで照明する)や小σ化した方が効果的である。ここで、σはコヒーレンスフアクターと呼ばれ、照明光学系のＮＡと投影レンズのＮＡとの比で示され、小さい場合は点光源に近い小さな光源でマスクを照明することになり、大きい場合は大きな光源でマスクを照明することを意味する。ハーフトーン位相シフトマスクを用いる場合にも小σ照明の方が焦点深度は向上する。これら孤立パターンの焦点深度を拡大する条件は、いずれもラインアンドスペースからなる密集パターンの臨界寸法の低減を阻害する結果となる。そのため、微細な密集パターンと孤立パターンの露光特性を両立させるのが困難となっていた。
【００１２】
そこで、補助パターンと呼ばれる、それ自体は解像しない微細パターンを用いる手法が、密集パターンと孤立パターンの焦点深度を両立させるため検討されてきた。補助パターンは光強度調整パターン、アシストバー、散乱バー、回折バー、アシストフィーチャーなどと呼ばれる場合もある。孤立パターンに隣接して補助パターンを配置したマスクを斜入射照明条件下で用いることにより、２光束干渉の結像状態に近づき、焦点深度を拡大させることができる。補助パターンの配置においてはその位置および幅が、転写されるパターンの焦点深度に影響する。
【００１３】
補助パターンの配置はルールベースＯＰＣの処理中で行なわれている。ＯＰＣとは、オプティカルプロキシミティコレクション(Optical  Proximity Correction)の略で、リソグラフィの光近接効果の補正を意味している。一般にＯＰＣの手法は、ルールベースＯＰＣとモデルベースＯＰＣに大別される。ルールベースＯＰＣは、補助パターンを発生させる対象となるパターンの幅や、対象とするパターンとその周辺パターンとの間隔等のパラメータにより、予め決めた補助パターン発生対象部分の寸法補正量に基づきマスクパターンを補正する方法である。
【００１４】
一方、モデルベースＯＰＣは、光学条件の他、レジストのパラメータ等を基にした光強度シミュレーションにより、所望の転写パターンが得られるようにマスクパターンを補正する方法である。モデルベースＯＰＣのモデルを作成するには、各々の対象とする寸法に対して、その寸法を含む大小の領域でピッチを変化させ、転写されたパターンの寸法を実測し、その測定結果に合うようにパラメータの合わせ込みを行う必要がある。そして、求めたモデルでマスク各部の光強度分布を計算する。そして、光照射されたレジストが現像により溶解する限界の光強度をしきい値として、指定されたしきい値の光強度位置（レジストに転写されるパターンのエッジ位置に相当する）が所望の転写パターン寸法になるようにマスク寸法の補正を行う。
【００１５】
補助パターンの配置がルールベース手法を用いて行なわれる理由は、補助パターンを配置して効果のある位置が限定されるためである。すなわち、密集パターンの場合と同様に、２光束干渉の結像状態を形成するためには、パターンに隣接して、２光束干渉が起こり得る一定のピッチ間隔の位置に補助パターンを配置する。したがって、パターンごとにシミュレーションして最適位置を決定するモデルベースＯＰＣは必要ない。ルール表を予め作成し、それに従い補正するルールベースＯＰＣの方が、処理が高速なため適していることにある。
【００１６】
上記したように、補助パターンは隣接するパターンとの間で２光束干渉状態になる位置を選択して配置するので比較的容易に決めることができる。しかし、補助パターンの最適寸法（幅）はプロセス条件に大きく依存しているため、光学条件だけでは決めることができない。焦点深度改善効果を得るための補助パターンの寸法は、転写される大きさの上限に近く、且つ転写されない幅にすることが望ましい。
【００１７】
しかし、補助パターンが転写されるか、されないかは、レジストの感光特性にも大きく依存していることから、その幅の最適化には、異なるラインパターンの配置ごとに異なる幅の補助パターンを配置して、その転写性を評価するというように実験的に決定する必要があった。この寸法の最適化を図る工程が補助パターンを有するマスクのルールを作成する上で最も時間を要する部分となっていた。つまり、マスクルールを作成する工数が大きいという問題がある。
【００１８】
最小線幅が３００ｎｍ程度の緩いルールで構成されていた従来の半導体装置に適用されるリソグラフィでは、ラインアンドスペースからなる密集パターンと、隣接パターン間隔が充分離れた疎パターンの２つの場合を考慮し、疎パターンに対する補助パターンの配置法を検討することが大きな課題であった。これに関連する補助パターンの配置法が特許文献１および特許文献２に記載されている。
【００１９】
しかし、現在のように、最小線幅が１００ｎｍ程度の厳しいルールで構成される半導体装置に適用されるリソグラフィでは、疎パターンというよりも、比較的近接しつつも密集パターンほど密集状態ではない中間のピッチを有する隣接パターンの寸法補正が重要な課題となっている。この中間ピッチは、前述のメモリアレーの周辺に位置する周辺回路に多用されるため、単一ではなく種々の間隔を有している。従来施術では、パターン幅そのものが太かったため周辺回路に配置されるパターンは隣接するパターン相互の影響を受けない、もしくは影響を無視できる疎なパターンとして取り扱うことが可能であった。
【００２０】
しかし、現在では、集積度向上の要求からパターン幅そのものが小さくなり、且つ近接して配置する必要があり、周辺回路パターンであっても隣接するパターン相互の影響を無視できない状態にある。上記のように、種々の間隔を有する中間ピッチパターンの場合に応じて配置する補助パターンの最適幅を検討する必要がある。そのため、マスクのルール作成に要する時間をさらに増幅させ、問題をより大きくしている。
【００２１】
特許文献３には、種々の中間ピッチパターンに対して補助パターンの配置を可能とさせるために、場合に応じて幅の異なる補助パターンを配置する方法が記載されている。幅の異なる補助パターンを順次当てはめてみて、最適なパターンが得られるまで補助パターンの配置検討を試みるので、上述のようにマスク作成時間の増大をもたらす。また、特許文献４にも中問ピッチパターンに対する補助パターンの配置法が記載されているが、種々の中間ピッチに対して配置する補助パターンの幅を決定する困難さと簡便に決める方法については言及されていない。
【００２２】
【特許文献１】ＵＳＰ−５，２４２，７７０号公報
【特許文献２】ＵＳＰ−５，４４７，８１０号公報
【特許文献３】ＵＳＰ−５，８２１，０１４号公報
【特許文献４】特開平６−２４２５９４号公報
【発明の開示】
【発明が解決しようとする課題】
【００２３】
以上述べたように、従来技術では、補助パターンの位置、本数および幅の３つのパラメータをルールベースＯＰＣで決定していた。配置位置は光学条件により、本数は予め決めたルールにより容易に設定することができるが、回路の微細化に伴い、種々の幅や間隔のパターンに対応するための補助パターンの幅を決めることに膨大な時間を要するようになり、大きなコスト要因となっていた。パターンが微細化され、今まで疎パターンとして扱われていたマスク上の中間ピッチパターンに対しても補正パターンが必要になった。その中間ピッチパターンは多種の寸法が使用され、ルールベースＯＰＣのルール決定のために膨大な時間が必要であるという問題がある。
【００２４】
本発明の目的は、マスク上の中間ピッチパターンに隣接して、転写されない最適な補助パターンを配置し、半導体基板上に所望の中間ピッチ転写パターンを得るに際し、補助パターンの幅の最適化を簡便に行うマスクデータ作成方法を提供することにある。
【課題を解決するための手段】
【００２５】
本願は上記した課題を解決するため、基本的には下記に記載される技術を採用するものである。
【００２６】
本発明はラインパターンに隣接して配置される補助パターンを備えたマスクのマスクデータ作成方法において、前記ラインパターンと前記ラインパターンに隣接する他のラインパターンの間隔を基にルールベース手法により予め決められた位置に前記補助パターンを配置する工程と、前記補助パターンの寸法を最適化するモデルベース近接効果補正工程とを有することを特徴とする。
【００２７】
本発明の前記モデルベース近接効果補正工程においては、第一の光強度しきい値を用いて前記補助パターンのエッジを移動させる第一のモデルベース近接効果補正工程と、第二の光強度しきい値を用いて前記パターンのエッジを移動させる第二のモデルベース近接効果補正工程とを有することを特徴とする。
【００２８】
本発明の前記第一の光強度しきい値は、前記第二の光強度しきい値より高いことを特徴とする。
【００２９】
本発明の前記第一の光強度しきい値は、前記第二の光強度しきい値より４％から４０％高いことを特徴とする。
【００３０】
本発明の前記第一のモデルベース近接効果補正工程においては、さらに前記補助パターンに０ｎｍの幅に転写されるようにオフセットを与えることを特徴とする。
【００３１】
本発明のマスクデータ作成方法においては、前記ルールベース手法で配置される前記補助パターンの幅を一定としたことを特徴とする。
【００３２】
本発明の前記ルールベース手法においては、前記ラインパターンと前記ラインパターンに隣接する他のラインパターンの間隔を基にテーブルを作成し、該テーブルに従って前記補助パターンを配置し、前記モデルベース近接効果補正工程において前記補助パターン及び前記パターンの幅を補正することを特徴とする。
【００３３】
本発明の前記テーブルは、設置する補助パターンの本数毎に作成することを特徴とする。
【発明の効果】
【００３４】
本発明では、ある範囲のパターン間隔では幅の狭い補助パターン自身であってもパターンと同様に、モデルベースＯＰＣで補正が可能であることを利用して、幅がー定の補助パターンをルールベースＯＰＣで配置した後、モデルベースＯＰＣを用いて、パターンの補正結果を加味しつつ補助パターン幅の最適補正をおこなうようにした。これにより、ルールベースＯＰＣにおける補助パターンの幅を一定にできるのでルールの記述が極めて簡便になり、マスク作成の効率を向上できる。また、半導体基板上に形成される回路が微細化されパターンの幅や配置が複雑になっても、本発明では、パターン間隔による場合分けを細分化して、パターンおよび補助パターンの最適化に容易に対応できるので、より集積度の高い半導体装置を製造するためのマスクを提供できる効果がある。
【発明を実施するための最良の形態】
【００３５】
以下に本発明の最良の形態について説明する。本発明は、露光波長が２４８ｎｍ以下で、１２０ｎｍ以下の寸法が得られる露光環境であって、最小の設計寸法の間隔でラインパターンが隣接する密な領域と、実質的に隣接していない疎な領域と、密な領域と疎な領域との中間の密パターン状態にある領域とを有するマスクにおいて、中間領域のパターンが精度良く転写されるように、中間領域のパターンに隣接して補助パターンを配置したマスクのデータ作成方法に関するものである。
【００３６】
本発明においては、マスク上の中間ピッチパターンを半導体基板上に転写する際の焦点深度を改善するための補助パターンの配置位置については照明条件に基づいて決定し、補助パターンの幅についてはレジストの感光特性に基づいて決定する方法を用いる。補助パターンの配置位置は、中間ピッチパターンと補助パターンの回折光のうち０次および±一次回折光の内の一方が投影レンズの瞳面を通過し、半導体基板上で２光束結像を実現するように配置される。したがって、補助パターンの配置位置は光学条件（投影レンズのＮＡおよび照明条件）だけで決定することができる。
【００３７】
一方、補助パターンの最適な幅は、光学条件のみならずレジストの感光特性に大きく依存している。たとえば、ＫｒＦレーザー（波長２４８ｎｍ）を光源に用いるリソグラフィで使用される化学増幅型レシストでは、酸拡散長が短い場合には細い補助パターンでも転写されやすく、拡散長が長い場合には比較的太い補助パターンでも転写されにくい。これら光学条件およびレジストの感光特性等は、モデルベースＯＰＣのモデルに取り込むことが可能で、そのモデルベースＯＰＣを用いて補助パターンの転写性を判断することができる。
【００３８】
本発明は、補助パターンの配置位置を、光学条件により決まる焦点深度を拡大できる位置にルールベースＯＰＣを用いて配置し、配置した後補助パターンの幅を、レジストの感光特性が網羅されたモデルベースＯＰＣにより最適化する。さらに詳しく言えば、本発明のマスクデータ作成方法は、中間ピッチパターンの間に配置する補助パターンの幅はー定として記述したルールを用いてルールベースＯＰＣにより補助パターンを発生させる工程と、モデルベースＯＰＣにより中間ピッチパターンより高いしきい値で補助パターンの幅を最適化する工程を有している。前述のUSP-5,821,014で述べられているような、幅の異なる種々の補助パターンを中間ピッチパターンに当てはめて評価を繰り返し、最適な補助パターンを実験的に探索する必要がない。
【００３９】
なお、上記のしきい値とは、後述の実施例で詳述するように、マスクを通過した、ある光強度分布を有する照射光がレジストに照射された場合に、現像でレジストが溶解するか否かの指標となる照射光強度の値である。ある光強度の値以上では現像され、以下では現像されずにレジストがパターンとして残る光強度の値を意味している。
【実施例１】
【００４０】
以下に、より具体的な実施例について図面を用いて説明する。実施例においては、ＤＲＡＭを例に、メモリセルアレーを構成する密集パターンと周辺回路を構成する中間ピッチパターンを同時に形成するリソグラフィエ程のマスクデータ作成方法について説明する。説明の前提として、露光装置は、縮小倍率４倍、開口数ＮＡ０．８５、コヒーレンスファクタ― σ＝０．８５、２／３輪帯照明のＫｒＦ(波長２４８ｎｍ）スキャン方式を用いる。２／３輪帯とは、半径の２／３を占める中心部分が遮光されることを意味する。メモリアレー部のラインおよびスペースは１００ｎｍであり、周辺回路部の中間ピッチパターンを構成するパターンの幅は１６０ｎｍである。また、補助パターンの幅は、メモリセルアレー部の寸法の８０％で、８０ｎｍ固定とした。
【００４１】
最初に、ルールベース手法を用いて補助パターンを配置する際のルールを決定する。補助パターンの配置位置は、補助パターンを配置することにより２光束干渉の状態となるピッチになるように決める。この場合、２極照明のような強い斜入射照明を用いる条件でなければ、完全な２光束干渉状態にはならない。それに伴い、焦点深度を拡大する効果を示す補助パターンの配置位置は、ある範囲を有する。そのため、余裕を持って配置することができる。本発明では２／３輪帯照明を用いることを前提にしているので上記の利点を有し、厳格に特定された位置に補助パターンを配置する必要はない。ここでは、表１に示す中間ピッチパターンのパターン間隔に応じて補助パターンを配置する方法を記述する。表１では、パターン間隔に応じて５つのケースに場合分けされており、各々のケースでのパターン間隔、補助パターンの本数、補助パターンの配置位置としてパターンエッジと補助パターンエッジとの距離が示されている。
【００４２】
【表１】
2006309039.tif 000003
【００４３】
ケース１は、パターン間隔Ｄが３００ｎｍより小さい場合で図１にその配置図が示されている。隣接する２つのパターン１が間隔Ｄで配置されている。パターン間隔Ｄが３００ｎｍ未満の場合には補助パターンは配置しない。これは補助パターンを配置しても、パターンエッジと補助パターンエッジの間隔が狭すぎるための悪影響が２光束干渉の効果を上回ってしまうためである。
【００４４】
ケース２は、パターン間隔Ｄが３００ｎｍ以上、４９０ｎｍ未満の場合で図２にその配置図が示されている。間隔Ｄで隔離された隣接する２つのパターン１の間の中央に補助パターン２を１本配置する。パターンエッジと補助パターンエッジの間隔ｓｌは、Ｄ／２から４０ｎｍ（補助パターンの幅の半分）を差し引いた値で示され、１１０ｎｍ以上、２０５ｎｍ未満となる。
【００４５】
ケース３は、パターン間隔Ｄが４９０ｎｍ以上、７２０ｎｍ未満の場合で図３にその配置図が示されている。間隔Ｄで隔離された隣接する２つのパターン１の間に補助パターン２を２本配置する。パターンエッジと補助パターンエッジの間隔ｓ２は１１０ｎｍとし、この場合、隣接する補助パターン２の間隔は１１０ｎｍ以上、３４０ｎｍ未満となる。
【００４６】
ケース４は、パターン間隔Ｄが７２０ｎｍ以上、９２０ｎｍ未満の場合で図４にその配置図が示されている。間隔Ｄで隔離された隣接するパターン１の間に補助パターン２を３本配置する。パターン１エッジと、そのエッジに隣接する補助パターン２のエッジ間隔ｓ３ａを１１０ｎｍとして、各々のパターン１エッジに隣接して補助パターン２を１本ずつ配置する。さらに、隣接する補助パターン２の間の中央に補助パターン３を１本配置する。補助パターン２エッジと補助パターン３エッジの間隔ｓ３ｂは１３０ｎｍ以上、２３０ｎｍ未満の範囲となる。
【００４７】
ケース５は、パターン間隔Ｄが９２０ｎｍ以上の場合で図５にその配置図が示されている。この場合は、パターン１の片側に補助パターンを２本配置する。パターン１のエッジと隣接する補助パターン２エッジの間隔ｓ４ａは１１０ｎｍとし、補助パターン２エッジと隣接する補助パターン３エッジの間隔ｓ４ｂは１３０ｎｍとする。図５では。隣接したパターン１の状態が示されているが、パターン間隔Ｄが９２０ｎｍ以上では、各々のパターンは完全に孤立したパターンとして補助パターンを配置することができる。
【００４８】
上記ルールで、幅が８０ｎｍに固定された補助パターンを一旦配置した後、レジストの感光特性が入力されたモデルベースＯＰＣをかけ、パターンの寸法補正と補助パターンの寸法補正とをパターン発生装置上で繰り返し、パターンおよび補助パターンの最適化を行う。ここでは、ＫｒＦレーザー光源（波長２４８ｎｍ）用の化学増幅系レジストを用い、化学増幅系レジストの特徴パラメータを示す酸拡散長が５０ｎｍと比較的長い条件で作成したモデルでＯＰＣをかけた結果について説明する。
【００４９】
図６および図７に上記ルールで８０ｎｍ幅の補助パターンを配置した直後のパターンを示す。図６は１６０ｎｍラインパターンの間隔が３００ｎｍでその間に１本の補助パターンが配置されるケース１の場合である。これは最も密なラインパターン間に補助パターンが配置される場合である。また、図７は周りの十分広い範囲に他のパターンのない１６０ｎｍ孤立ラインパターンの左右に２本の補助パターンが配置されるケース５を示している。図６および図７に示すモデルベースＯＰＣ処理前のマスクパターンで得られる露光基板上の相対光強度分布を図８および図９に示す。横軸は半導体基板上の位置として示され、パターンおよび補助パターンの位置に対応している。
【００５０】
図８では半導体基板上の位置が０の点、４６０ｎｍおよび−４６０ｎｍの点を中心として、幅１６０ｎｍのパターンが３本配置され、各々の間の中心に幅８０ｎｍで固定された補助パターンを１本ずつ配置した状態に対応している。各々のパターンエッジの間隔は３００ｎｍとなる。また、パターンエッジと補助パターンエッジの間隔は１１０ｎｍとなる。また、図９に示す相対光強度分布の図では、半導体基板上の位置Ｏｎｍにラインパターンの中心が位置し、十/−２３０ｎｍと十/−４４０ｎｍの位置が８０ｎｍ幅の補助パターンの中心となる。そして、各図の縦軸は相対光強度を示している。相対光強度とは、完全遮光部を０、充分広い光透過部の光強度を１とした相対値であり、値が大きければ透過光量が多く、小さければ透過光量が少ないことを示している。
【００５１】
まずこのように一定幅の補助パターンを配置し、次にモデルベースＯＰＣにより補助パターンおよびラインパターンの寸法を調整する。ラインパターンにモデルベースＯＰＣをかける際のパターンの相対光強度のしきい値は０．２０６７と設定する。この値は、メモリセルアレー部の密集部におけるラインおよびスペースの幅１００ｎｍパターンが設計値通りに形成されるように設定した値である。しきい値とは、この値より小さい相対光強度の領域でレジストパターンが形成され、大きい領域のレジストは現像で除去される相対光強度レベルを意味している。図８および図９にて、しきい値０．２０６７のレベルが相対光強度を横切る交点を見ると、その交点を両端エッジとするパターンが形成されることになり、この場合では幅１６０ｎｍのパターンを配置しているにも係らず、１４０ｎｍ程度の幅のパターンしか得られない。また、補助パターン部分にもこのしきい値を下回る箇所があり、補助パターン自体も転写されてしまう。
【００５２】
まずこのように一定幅の補助パターンを配萱し、次にモデルベースＯＰＣにより補助パターンおよびラインパターンの寸法を調整する。図１０に次のＯＰＣの概念を示す。ラインパターンは半導体基板上に転写されるパターンなので、ＯＰＣを掛けない他のパターン（たとえばメモリセルアレイ）が所望寸法になる光強度しきい値Ｉｔｈで所望の寸法になるようにマスク寸法が補正されることになる。一方、補助パターンは半導体基板上には転写されないパターンなので、同じ光強度Ｉ０で補正することはできない。補助パターン部の最低光強度Ｉｍｉｎは光強度しきい値ｌｔｈ以上にする必要があり、露光量がアンダー側にずれたときの転写マージンを考慮すると、光強度Ｉ０より数％〜数十％高い値にしておく必要がある。
【００５３】
たとえは光強度Ｉ０の３０％高い値で補助パターンを補正することで、補助パターンの最低光強度Ｉｍｉｎを光強度しきい値Ｉｔｈ以上にすることができる。また、補助パターンのＯＰＣのターゲット寸法にバイアスを加え、光強度しきい値Ｉｔｈの１０％程度の高い光強度でごく細い寸法（たとえが１０ｎｍ程度）になるようにＯＰＣ処理を行っても、補助パターン部の最低光強度Ｉｍｉｎを光強度しきい値Ｉｔｈ以上にすることができる。また、補助パターン部の最低光強度Ｉｍｉｎはラインパターンが形成されるしきい値Ｉｔｈより必要以上に大きいと、補助パターンを配置する本来の目的であるラインパターンの焦点深度向上効果が失われる。従って最低光強度Ｉｍｉｎは光強度しきい値Ｉｔｈより、ある程度高い適切な範囲（通常は１．４ｘＩｔｈ＞Ｉｍｉｎ＞１.０５ｘＩｔｈ）に収まることが望まれる。
【００５４】
本実施例条件では、１００ｎｍラインアンドスペースパターンのメモリセルアレイパターンが設計寸法に形成される光強度しきい値ｌｔｈは０.２０６７である。よって、ラインパターンに対しては０．２０６７というしきい値を設定するのに対して、補助パターンには１０％高いしきい値として０．２２７３７を設定する。かつ、補助パターンのＯＰＣターゲット寸法には片側−４０ｎｍのバイアスを付加し、半導体基板上では、しきい値０．２２７３で０ｎｍの寸法となるようにＯＰＣ処理を行う。
【００５５】
図１１および図１２は、上記図８および図９に対応する、モデルベースＯＰＣ補正後のバターンの相対光強度分布を示している。補正後の補助パターンの相対光強度は、ラインパターンが形成されるしきい値Ｉｔｈ＝０.２０６７より１０％近く高い値になり、他のパターンが半導体基板上に転写される条件（光強度しきい値ｌｔｈでパターンが形成される条件）では転写されないようになったことが分かる。また、ラインパターンはしきい値ｌｔｈ＝０．２０６７で所望の１６０ｎｍ幅のパターンが得られるようになっている。また、補助パターン部の光強度も光強度しきい値ｌｔｈ以上になり、半導体基板上に転写されなくなっている。
【００５６】
図１３および図１４にＯＰＣ補正後マスクパターンを示す。図１３の密集パターン（ケース１のもとのラインパターン間隔３００ｎｍ）の場合には、ラインパターン幅は１６０ｎｍから１７４ｎｍへ、補助パターン２の幅は８０ｎｍから６８ｎｍへ最適化されている。そして、パターンエッジと補助パターンエッジとの間隔は１１０ｎｍから１０９ｎｍへ短くなっている。また、図１４の孤立ラインパターン（ケース５）ではラインパターン幅は１６０ｎｍから１７４ｎｍへ、補助パターン２の幅は８０ｎｍから７４ｎｍへ、補助パターン３の幅は８０ｎｍから１０８ｎｍへ最適化されている。そして、パターンエッジと補助パターンエッジとの間隔は１１０ｎｍから１１４ｎｍへ、補助パターン間の間隔は１３０ｎｍから１１８ｎｍと短くなっている。
【００５７】
ここでは、説明の便宜上、中間パターンとして最も密集したパターン間（間隔３００ｎｍ）に補助パターンが配置される場合と、孤立パターン（間隔９２０ｎｍ以上）の左右に２本ずつの補助パターンが配置される場合の例について説明したが、その他の場合においても、同様に補正することができる。また、本実施例では、パターン間隔が４つの場合について示したが、さらに細分化された場合分けに対しても容易に対応可能である。
【００５８】
本実施例によれば、ライン間隔に応じた本数と位置に幅固定幅の補助バターンをルールベース手法で配置し、その後補助パターンの幅の最適化およびパターン幅の最適化をモデルベースＯＰＣにより行っている。その結果、マスク上でパターンおよび補助パターンの幅が適切に補正され、半導体基板上には補助パターンは転写されず、且つ半導体素子のパターンの焦点深度を最大限に向上することが可能なマスクを得ることができる。従来、ルールベース手法で種々の場合に対応して異なる幅の補助パターンを配置しては適正を判断するのに要していた時間とコストを大幅に短縮できる利点がある。
【実施例２】
【００５９】
次に、第二の実施例としてレジストの酸拡散長がｌ０ｎｍと比較的短く設定して作成したモデルでＯＰＣを行った場合の結果について説明する。第１ステップとして実施例１と同様にルールベース手法によりパターン配置された図６および図７に対して適用した実施例である。
【００６０】
図１５は先の実施例と同じく間隔３００ｎｍの場合にルールベース手法で補助パターンを配置した直後の相対光強度分布を示している。また、図１６は孤立ラインパターン左右に幅８０ｎｍの補助パターンを配置した直後の相対光強度分布を示している。酸拡散長が短いと光学像の劣化が少なく光強度分布の急峻さが保たれる。そのため、補助パターン部の光強度がより低下し、補助パターンはさらに転写されやすくなる。このような相対光強度分布を有するレジストに対して、実施例１と同様、メモリアレーの密集部が設計値となるようにパターンヘのしきい値として０．２０６０と設定した。一方、補助パターンに対してはラインパターンより１０％高い０．２２６６という値のしきい値として設定して同様にターゲット寸法としては−４０ｎｍのバイアスを加え、半導体基板上では、しきい値０．２２６６で０ｎｍの寸法となるようにＯＰＣ処理を行う。
【００６１】
図１７および図１８にそれぞれ密集（間隔３００ｎｍ）および孤立ラインパターン（間隔９２０ｎｍ以上）のＯＰＣ補正後の相対光強度分布を示した。補正後には補助パターン部の相対光強度は０．２２６６近傍レベルにあり、補助パターンの転写は防止されている。また、ラインパターンもしきい値０．２０６０以下がレジストパターンとして残るとすると１６０ｎｍと設計どおりの寸法に形成されるようになる。
【００６２】
図１９および図２０に対応する補正後のパターン寸法を示した。図１９に示す密集パターンではラインパターン１の幅は１６０ｎｍから１８８ｎｍへ太くなり、補助パターン２の幅は８０ｎｍから５６ｎｍへと細くなり、実施例１よりさらに細く修正されている。ラインパターンエッジと補助パターンエッジの間隔は１０８ｎｍでほぼ同じてある。また、図２０の孤立パターンではラインパターン１の幅は１６０ｎｍから１８６ｎｍへさらに太くなり、補助パターン２の幅は８０ｎｍから６１ｎｍへと細くなり、実施例１よりさらに細く修正されている。同様、補助パターン３は８０ｎｍから７５ｎｍに細く修正される。そして、パターンエッジと補助パターンエッジとの間隔は１１０ｎｍから１１６ｎｍへ、補助パターン間の間隔は１３０ｎｍから１２８ｎｍと変更されている。
【００６３】
本実施例では、酸拡散長が短いレジストを用いた場合でも、レジストの特性に合わせた補助パターンの補正が可能であり、種々のレジストに対応することができる効果がある。なお、上記実施例では補助パターンのしきい値をパターンのしきい値より１０％高くしたが、これは必要とされる露光量マージンの大きさで調整することができる。アンダー露光による補助パターン転写の余裕を大きく確保する場合には、その分補助パターンのしきい値を高くすればよい。逆に、パターンの他の部分で露光マージンが律速されるような場合で補助パターンの転写マージンが必要でない場合には１０％も高くする必要はない。また、対象とする補助パターンにバイアスを加える代わりに、しきい値をより高く設定する方法を用いても同等の補正結果を得ることができる。
【００６４】
なお、これら実施例ではＫｒＦ(波長λ＝２４８ｎｍ)露光を示したが、特に波長に制限はない。たとえば、ＥＵＶ露光（波長＝１３ｎｍ)等の反射マスクを用いる場合にも同様に適用できる。また、上記実地例では、ラインパターンと補助パターンとを、同時にモデルベースＯＰＣを行っているが、補助パターンにＯＰＣを行い、その後再度ラインパターンにＯＰＣを行うように分けることもできる。この場合も、補助パターンの転写防止し、かつラインパターンを所望の寸法にすることが出きる。また、パターン形状もラインパターンにかぎらず、ホールおよびスリット状の抜きパターンにも同様に適用することができる。
【００６５】
本発明では、ある範囲のパターン間隔では幅の狭い補助パターン自身であってもパターンと同様に、モデルベースＯＰＣで補正が可能であることを利用して、幅がー定の補助パターンをルールベースＯＰＣで配置した後、モデルベースＯＰＣを用いて、パターンの補正結果を加味しつつ補助パターン幅の最適補正をおこなうようにした。第１段階として中間ピッチパターンのパターン間隔に応じてルールベース手法により幅が一定の補助パターンを配置する。第２段階として、モデルベースＯＰＣとして最適なパターン幅を決定する。このときの補助パターンの光強度しきい値は、パターンの光強度しきい値に対し、１．０４〜１．４倍とする。このようにすることで設計値どおりのデータパターンが得られる。本発明の手順により、設計値どおりのデータパターンが得られるマスクデータ作成方法、および半導体装置の製造に用いられるマスクが得られる。
【００６６】
以上本願発明を実施例に基づき具体的に説明したが、本願発明は前記実施例に限定されるものではなく、その趣旨を逸脱しない範囲で種々変更して実施することが可能であり、本願に含まれることはいうまでもない。
【図面の簡単な説明】
【００６７】
【図１】パターン間隔が３００ｎｍより小さく、補助パターンが配置されていないパターン配置図である。
【図２】パターン間隔が３００ｎｍ以上、４９０ｎｍ未満の場合で、本発明のルールベース手法による補助パターンが配置されたパターン配置図である。
【図３】パターン間隔が４９０ｎｍ以上、７２０ｎｍ未満の場合で、本発明のルールベース手法による補助パターンが配置されたパターン配置図である。
【図４】パターン間隔が７２０ｎｍ以上、９２０ｎｍ未満の場合で、本発明のルールベース手法による補助パターンが配置されたパターン配置図である。
【図５】パターン間隔が９２０ｎｍ以上の場合で、本発明のルールベース手法による補助パターンが配置されたパターン配置図である。
【図６】パターン間隔が３００ｎｍの場合で、本発明のルールベース手法による補助パターンが配置されたパターン配置図である。
【図７】孤立パターンの場合で、本発明のルールベース手法による補助パターンが配置されたパターン配置図である。
【図８】図６のパターン配置図に対する実施例１における相対光強度分布図である。
【図９】図７のパターン配置図に対する実施例１における相対光強度分布図である。
【図１０】モデルベースＯＰＣの概念説明図である。
【図１１】図６のパターン配置図に対する実施例１におけるモデルベースＯＰＣ処理し、補正した後の相対光強度分布図である。
【図１２】図７のパターン配置図に対する実施例１におけるモデルベースＯＰＣ処理し、補正した後の相対光強度分布図である。
【図１３】図６のパターン配置図に対する実施例１におけるモデルベースＯＰＣ処理し、補正した後のパターン配置図である。
【図１４】図７のパターン配置図に対する実施例１におけるモデルベースＯＰＣ処理し、補正した後のパターン配置図である。
【図１５】図６のパターン配置図に対する実施例２における相対光強度分布図である。
【図１６】図７のパターン配置図に対する実施例２における相対光強度分布図である。
【図１７】図６のパターン配置図に対する実施例２におけるモデルベースＯＰＣ処理し、補正した後の相対光強度分布図である。
【図１８】図７のパターン配置図に対する実施例２におけるモデルベースＯＰＣ処理し、補正した後の相対光強度分布図である。
【図１９】図６のパターン配置図に対する実施例２におけるモデルベースＯＰＣ処理し、補正した後のパターン配置図である。
【図２０】図７のパターン配置図に対する実施例２におけるモデルベースＯＰＣ処理し、補正した後のパターン配置図である。
【符号の説明】
【００６８】
１    パターン
２、３    補助パターン
【図１】
2006309039.tif 000004
【図２】
2006309039.tif 000005
【図３】
2006309039.tif 000006
【図４】
2006309039.tif 000007
【図５】
2006309039.tif 000008
【図６】
2006309039.tif 000009
【図７】
2006309039.tif 000010
【図８】
2006309039.tif 000011
【図９】
2006309039.tif 000012
【図１０】
2006309039.tif 000013
【図１１】
2006309039.tif 000014
【図１２】
2006309039.tif 000015
【図１３】
2006309039.tif 000016
【図１４】
2006309039.tif 000017
【図１５】
2006309039.tif 000018
【図１６】
2006309039.tif 000019
【図１７】
2006309039.tif 000020
【図１８】
2006309039.tif 000021
【図１９】
2006309039.tif 000022
【図２０】
2006309039.tif 000023